(57)【特許請求の範囲】
【請求項１】
複数のバーがその長さ方向を平行にして配列されたバーコードが印刷されるバーコード印刷領域を有する印刷対象層と、
シート状の基材を有し、前記印刷対象層に対して層状に重ねられたＩＣタグとを備え、
前記ＩＣタグの前記基材は、前記バーコード印刷領域と重なる端部の前記バーの幅方向に沿った位置が、前記バーの長さ方向の位置に応じて変化すること
を特徴とする印刷用媒体。
【請求項２】
請求項１に記載の印刷用媒体において、
前記ＩＣタグの前記基材は、前記バーコード印刷領域と重なる前記端部から、その先端部が前記バーの幅方向に突出し、かつ、バーの長さ方向に沿った寸法が突端部側に向けて漸次狭くなる突出部を少なくともひとつ備えること
を特徴とする印刷用媒体。
【請求項３】
請求項１又は請求項２に記載の印刷用媒体において、
前記ＩＣタグの前記基材の前記バーコード印刷領域と重なる端部の変化量を、前記バーコードの前記バーの幅方向に沿った方向の全体長より大きくしたこと
を特徴とする印刷用媒体。
【発明の詳細な説明】
【技術分野】
【０００１】
本発明は、ＩＣタグを備える印刷用媒体に関するものである。
【背景技術】
【０００２】
ＩＣタグは、ＲＦＩＤ（Radio Frequency Identification）とも称され、個体の識別が可能な情報を保持するＩＣチップを備え、この情報を無線通信によって非接触に読み取りできるようになっている。
ＩＣタグは、シート状に形成されるとともに帯状の紙片に対して層状に重ねて設けられたものが知られており、例えばスーツケース等の航空手荷物に対してこれらの管理用に取り付けられる（例えば、特許文献１参照）。このようなＩＣタグを備えた紙片は「バゲッジタグ」と通称されている。
一方、このバゲッジタグは、ＩＣタグのＩＣチップが保持する情報のバックアップとしてバーコードが印刷される。
【０００３】
しかし、このバゲッジタグは、ＩＣタグの基材の厚みの分、バーコード印刷面に段差が形成される。バーコードリーダは、バーの幅方向寸法、及び、隣接するバーの間隔からバーコードの保持するデータを読み取るため、この段差部分にバーコードのバーが印刷されると、例えばバーがかすれて印刷される等の印刷不良が発生し、バーコードを正しく読み取ることができない場合があり、読み取り不良が発生する。
【０００４】
【特許文献１】特開２００１−２４０２１８号公報
【発明の開示】
【発明が解決しようとする課題】
【０００５】
本発明の課題は、ＩＣタグの端部と重なる位置に印刷されたバーコードの読み取り不良を防止できる印刷用媒体を提供することである。
【課題を解決するための手段】
【０００６】
本発明は、以下のような解決手段により、前記課題を解決する。
請求項１の発明は、複数のバーがその長さ方向を平行にして配列されたバーコードが印刷されるバーコード印刷領域を有する印刷対象層と、シート状の基材を有し、前記印刷対象層に対して層状に重ねられたＩＣタグとを備え、前記ＩＣタグの前記基材は、前記バーコード印刷領域と重なる端部の前記バーの幅方向に沿った位置が、前記バーの長さ方向の位置に応じて変化することを特徴とする印刷用媒体である。
【０００７】
請求項２の発明は、請求項１に記載の印刷用媒体において、前記ＩＣタグの前記基材は、前記バーコード印刷領域と重なる前記端部から、その先端部が前記バーの幅方向に突出し、かつ、バーの長さ方向に沿った寸法が突端部側に向けて漸次狭くなる突出部を少なくともひとつ備えることを特徴とする印刷用媒体である。
請求項３の発明は、請求項１又は請求項２に記載の印刷用媒体において、前記ＩＣタグの前記基材の前記バーコード印刷領域と重なる端部の変化量を、前記バーコードの前記バーの幅方向に沿った方向の全体長より大きくしたことを特徴とする印刷用媒体である。
【発明の効果】
【０００８】
以上説明したように、本発明によれば、以下のような効果がある。
（１）ＩＣタグの基材のバーコード印刷領域と重なる端部におけるバーの幅方向に沿った位置を、バーの長さ方向の位置に応じて変化させたから、あるバーコードの読取位置においてバーコード読み取り時にバーとＩＣタグの基材の端部とが重なっても、この読取位置からバーの長さ方向にずれた他の読取位置においては、バーとＩＣタグの基材の端部とが重ならない。このバーと基材の端部とが重ならない位置においては、バーの印刷不良が発生しないので、バーコードの読み取り不良が防止できる。
（２）ＩＣタグの基材の端部に突出部を設けたから、基材のバーコードと重なる端部がバーと交差する。これにより、基材の端部には、バーに対して重なる領域と重ならない領域とが交互に形成され、バーコードの読み取り不良が防止される位置を容易に特定することができる。
（３）ＩＣタグの基部の端部の変化量を、バーコードの全幅より大きくしたから、ＩＣタグの基材には、バーコードをその全幅にわたって跨ぐ領域が形成され、この領域においては、バーコードの印刷不良が発生しない。
【発明を実施するための最良の形態】
【０００９】
本発明は、ＩＣタグの端部と重なる位置に印刷されたバーコードの読み取り不良を防止できる印刷用媒体及びＩＣタグを提供するという目的を、ＩＣタグの基材シートの端部に、基材シートの外部側へ向けて突出し、その平面形が突端部を頂点とする三角形状に形成された突出部を設けることによって実現する。
【実施例１】
【００１０】
以下、本発明を適用した印刷用媒体であるバゲッジタグの実施例１について説明する。実施例１のバゲッジタグ１は、例えばスーツケース等の航空手荷物に取り付けられ、この荷物に関する、例えば持ち主、発送先の空港名、輸送機の便名等の情報を保持するものである。
図１は、実施例１のバゲッジタグを示す平面図である。図２は、図１のバゲッジタグのＡ−Ａ矢視断面図であり、ＩＣタグを含む部分の拡大図である。
【００１１】
バゲッジタグ１は、図２に示すように、上紙１１、粘着剤層１２、剥離紙層１３、ＩＣタグ２０を備えている。
上紙１１は、帯状の紙片であって、その一方の面部（以下、「表面部」という）に、後述するバーコード３１が印刷される印刷対象層である。
粘着剤層１２は、後述するＩＣタグ２０を上紙１１に貼り付けるものであり、上紙１１の裏面部の全面にわたって形成されている。剥離紙層１３は、この粘着剤層１２を保護する剥離紙を備えている。このように、バゲッジタグ１は、上紙１１の表面部側から見て、上紙１１、粘着剤層１２、剥離紙層１３が、この順に層状に配置されている。
上紙１１は、バーコード３１が印刷されるバーコード印刷領域３０を備えている。このバーコード印刷領域３０は、上紙１１の表面部であって、その長手方向の中間部分に形成された略長方形の領域であり、その長辺が上紙１１の長手方向と略平行とされている。
【００１２】
バーコード３１は、平面形が略長方形状とされたバー３１ａが、その長さ方向を平行にして複数配列されたものであり、例えば黒色系のインクによって印刷される。このバーコード３１の各バー３１ａの長さ方向は、バーコード印刷領域３０の短辺に対して略平行とされている。互いに隣接する２本のバー３１ａは、バー３１ａの幅方向に離間しており、これらのバー３１ａの間にはスペース３１ｂが形成されている。
このバーコード３１は、ＩＣタグ２０の読み取りができない場合に備えて設けられるものであり、バゲッジタグ１が取り付けられた荷物の個体を識別できる情報を保持している。バーコード３１の読み取りは、バーコードリーダによって各バー３１ａの幅方向の寸法、及び、各バー３１ａの間隔（スペース３１ｂの幅方向の寸法）を読み取ることによって行われる。
【００１３】
ＩＣタグ２０は、例えば１３．５６ＭＨｚの周波数帯域を用いた電磁誘導方式のものであり、基材シート２１、アンテナ２２、ＩＣチップ２３を備えている。
このＩＣタグ２０は、全体的にシート状に形成されており、粘着剤層１２と剥離紙層１３との間に層状に挟まれて設けられており、粘着材層１２に貼り付けられている。
基材シート２１は、例えばＰＥＴ等の樹脂材料をシート状に形成したものであり、基部２１ａ、突出部２１ｂを備えている。
基部２１ａは、後述するアンテナ２２、ＩＣチップ２３を支持する部分であり、その平面形が略長方形状とされ、その長手方向とバゲッジタグ１の長手方向とが、略平行とされている。
突出部２１ｂは、基部２１ａと一体に形成され、基部２１ａの長手方向の両端部（短辺）から、基部２１ａの外部側へ向けて突出し、その平面形が突端部を頂点とする略三角形状に形成されている。突出部２１ｂは、基部２１ａの短辺に沿って、例えば５箇所設けられており、基材シート２１の長手方向（バゲッジタグ１の長手方向に沿った方向）の両端部は、鋸歯状になっている。
この基材シート２１は、粘着剤層１２に貼り付けられた状態において、その長手方向の一方の端部が前述のバーコード印刷領域３０（バーコード３１）と重なっている。
【００１４】
アンテナ２２は、基部２１の一方の面部の外周縁部に渦巻状に形成されたループアンテナである。このアンテナ２２は、例えば導電性を有するインクを使用した印刷によって形成される。
ＩＣチップ２３は、基部２１のアンテナ２２が形成された面部であって、アンテナ２２より内径側に設けられている。アンテナ２２は、最も内周側の一部が切断されており、ＩＣチップ２３は、このアンテナ２２の切断部分の間に設けられ、図示しない電極がアンテナ２２に接続されている。
ＩＣチップ２３は、前述のようにバゲッジタグ１が取り付けられる荷物に関する、例えば持ち主、発送先の空港名、輸送機の便名等の情報を保持している。
【００１５】
このＩＣタグ２０は、基材シート２１と同じ材料によって形成された帯状のシート素材にアンテナ２２とＩＣチップ２３が設けられた後に、このシート素材が基材シート２１の形状に切り抜かれることにより量産される。このとき、基材シート２１は、その長手方向とシート素材の長手方向とを略一致させて生産される。
【００１６】
このバゲッジタグ１は、長手方向の中間部分が、例えばスーツケースの取手部分に巻き付けられた後、長手方向の一方の端部の剥離紙が粘着材層１２より剥がされ、この一方の端部が他方の端部に貼り付けられることによりループ状とされる。
バゲッジタグ１は、ＩＣタグ２０が保持する情報がＩＣタグ２０用のリーダ装置によって読み取られ、この荷物の仕分け等の作業に使用される。また、前述のように、例えばＩＣチップ２３が破損した場合等、ＩＣタグ２０が保持する情報の読み取りができない場合には、バーコード３１の保持する情報が読み取られる。
【００１７】
次に、実施例１の効果を比較例と対比して説明する。なお、以下説明する比較例及び変形例においては、上述した実施例１と同様の部分には、同一の符号を付して説明を省略し、主に相違点について説明する。
図３は、ＩＣタグの基材シートとバーコードとの関係を示す図であり、（ａ）は、本発明の比較例のＩＣタグを示し、（ｂ）は実施例１のＩＣタグを示す図である
比較例のＩＣタグ１２０は、基材シート１２１の平面形が略長方形状とされたものであり、実施例１の基材シート２１の突出部２１ｂがないものに相当する。この基材シート１２１は、バーコード３１と重なる端部が、バー３１ａの長さ方向に対して略平行になっており、バーコード３１の一部のバー３１ａが、基材シート１２１の端部に重ねて印刷される。
ここで、比較例のＩＣタグ１２０が粘着剤層１２と剥離紙層１３との間に挟まれて設けられると、上紙１１の表面部（印刷面）には、基材シート２１の端部と重なる部分に段差が形成される（図２参照）。この段差部分にバーコード３１が印刷されると、バー３１ａがかすれる等の印刷不良が発生する可能性があり、バーコード３１の読取不良が発生する。
【００１８】
これに対し、実施例１のＩＣタグ２０は、例えばあるバーコード読取位置（図３（ｂ）の破線Ｒ１）においては、バー３１ａと突出部２１ｂの端部とが重なり、比較例と同様にバー３１ａの印刷不良が発生する可能性があるが、基材シート２１の突出部２１ｂの端部がバー３１ａの長さ方向に対して傾斜しているため、この読取位置Ｒ１からバー３１ａの長さ方向にずれた他の読取位置（図３（ｂ）の破線Ｒ２）おいては、突出部２１ｂの端部とバー３１ａとが重ならない（突出部２１ｂの端部に何も印刷されていない）ため、バー３１ａの印刷不良が発生しない。したがって、バーコード３１の読み取り不良が防止される。
【００１９】
さらに、基材シート２１の端部を鋸歯状としたから、ＩＣタグ２０を量産する際に、互いに隣接するＩＣタグ２０の基材シート２１を、一方の基材シート２１の突出部２１ｂが、他方の基材シート２１の隣り合う２つの突出部２１ｂに間に位置するように形成することができる。これによって、各基材シート２１間の間隔を狭くすることができ、ＩＣタグ２０の生産コストを低減することができる。
また、突出部２１ｂを基材シート２１の長手方向の両端部に設けたから、仮にバーコード印刷領域３０と隣接する他のバーコード印刷領域が設けられ、これらがＩＣタグ２０の両端部にそれぞれ重なった場合であっても、このバーコード印刷領域に印刷されるバーコードの読み取り不良を防止できる。さらに、仮にバーコード印刷領域が、実施例１のバーコード印刷領域３０に比べバゲッジタグ１の長手方向と平行な方向に長く形成され、印刷されるバーコードがＩＣタグ２０の基材シート２１の長手方向両端部に重なったとしても、このバーコードの読み取り不良が防止できる。さらに、ＩＣタグを粘着剤層１２に貼り付ける際、その向きに注意を払う必要がないので、作業が容易である。
【実施例２】
【００２０】
次に本発明を適用した印刷用媒体であるバゲッジタグの実施例２について説明する。
図４は、実施例２のバゲッジタグに備えられたＩＣタグの端部とバーコードとの関係を示す図である。
実施例２のＩＣタグにおける基材シート４１の突出部４１ｂは、基部４１ａのバーコード３１と重なる端部（短辺）の一部であって、この端部の全体長の、例えば１／３程度の領域から基部４１ａと一体に、基部４１ａの外部側に向けて略長方形状に突出して形成されている。この突出部４１ｂは、基部４１ａの短辺の一方の端部寄りに形成されており、そのバー３１ａの幅方向に沿った一方の辺部が基部４１ａの長辺に沿って設けられている。また、この突出部４１ｂの、突出長さは、バーコード３１の全幅（バー３０ａの幅方向と平行な方向の全長）より長く形成されている。
【００２１】
この実施例２のバゲッジタグ２においても、上紙１１の印刷面には段差が形成されるが、突出部４１ｂの突出長さが、バーコード３１の全幅より長く形成されているから、基材シート４１の突出部４１ｂを含む部分においては、バーコード３０がこの段差の内側に印刷される。したがって、バー３１ａの印刷不良が発生せず、読み取り不良が防止される。
また、図４（ｂ）に示すように、バーコード３１が基材シート４１（ＩＣタグ４０）と離間する方向にずれて印刷された場合であっても、バーコード３１には、突出部４１ｂに完全に重なる領域、及び、基材シート４１に重ならない領域のいずれかが形成され、このどちらかの領域においては、バー３１ａと基材シート４１の端部とが重ならないため、バー３１ａの印刷不良が防止される。
【００２２】
（変形例）
以上説明した実施例に限定されることなく、種々の変形や変更が可能であって、それらも本発明の均等の範囲内である。
（１）本発明のＩＣタグの基材シートは、図５に示すように種々の変形や変更が可能である。
図５は、本発明のＩＣタグの変形例を示す図である。
図５（ａ）に示すＩＣタグの基材シート５１の突出部５１ｂは、その平面形が基部５１ａの短辺を底辺とする直角三角形状とされている。これらの突出部５１ｂの頂点は、それぞれ基部５１ａの対角側に設けられており、基材シート５１は、平面形が略平行四辺形状となっている。
図５（ｂ）に示すＩＣタグの基材シート６１の突出部は基部６１ａの両端部において異なった形状とされている。基部６１ａの一方の端部の突出部６１ｂは、その平面形が基部６１ａの短辺を底辺とする二等辺三角形状とされている。また、基部６１ａの他方の端部の突出部６１ｃは、２箇所形成され、頂点を基部６１ａの短辺の両端部側に備えるとともにそれぞれ基部６１ａの短辺の半分を底辺とする二等辺三角形状とされている。
図５（ｃ）に示すＩＣタグの基材シート７１の突出部は、基部７１ａの短辺から半円状に突出した凸部７１ｂである。この基部７１ａの短辺には、この凸部７１ｂと同じ半径により基部７１ａの短辺を凹ませた凹部７１ｃが設けられ、凸部７１ｂと凹部７１ｃとが交互に連続して形成されている。
これらの基材シートも、上紙の印刷面に段差を形成するが、突出部の端部にバーと重ならない領域ができるので、バーコードの印刷不良が防止できる。
（２）実施例１の基材シートは、突出部が基部の一方の端部に、例えば５箇所設けられていたが、これに限らず、突出部は、少なくとも１以上設けられていればよい。
（３）実施例１の突出部は、基材シートの長手方向の両端部に形成されていたが、これに限らず、例えば基材シートの一方の端部のみがバーコード印刷領域に重なる構成であれば、突出部が形成されるのは、この端部のみであってもよい。
（４）各実施例の印刷用媒体は、例えば航空手荷物に取り付けられるバゲッジタグであったが、これに限らず、ＩＣタグを備える他の印刷用媒体であってもよく、例えば書籍の表紙等であってもよい。
（５）各実施例のＩＣタグは、ループアンテナを備える電磁誘導方式のものであったが、これに限らず、ＩＣタグは、他の種類のものであってもよく、例えばダイポールアンテナを備えたＵＨＦ帯の受信電波帯域を有するものであってもよい。
【図面の簡単な説明】
【００２３】
【図１】実施例１のバゲッジタグを示す平面図である。
【図２】図１のバゲッジタグのＡ−Ａ矢視断面図であり、ＩＣタグを含む部分の拡大図である。
【図３】本発明の比較例及び実施例１におけるＩＣタグの基材シートとバーコードとの関係を示す図である。
【図４】実施例２のＩＣタグの端部と、バーコードとの関係を示す図である。
【図５】本発明の印刷用媒体が備えるＩＣタグの変形例を示す図である。
【符号の説明】
【００２４】
１  バゲッジタグ
１１  上紙
１２  粘着剤層
１３  剥離紙層
２０  ＩＣタグ
２１  基材シート
２１ａ  基部
２１ｂ  突出部
３０  バーコード印刷領域
３１  バーコード
３１ａ  バー
【図１】
0004844058.tif 000002
【図２】
0004844058.tif 000003
【図３】
0004844058.tif 000004
【図４】
0004844058.tif 000005
【図５】
0004844058.tif 000006